(57)【要約】      （修正有）【課題】ロールペーパーホルダーを間欠的に屈折移動させるロールペーパーホルダーの取り付け具を提供する。【解決手段】ロールペーパーを保持するロールペーパーホルダー固定部１と、壁面取り付け部２とからなり壁面取り付け部２及び固定部にはビス穴又は溝３を少なくとも２つ備え該取り付け部と該固定部とは角度を間欠的に屈折できることが容易な間欠蝶番で連結するよう構成してなるロールペーパーホルダーの取り付け具である。【選択図】図１
0003183050.tif 000002
【実用新案登録請求の範囲】
【請求項１】
トイレットペーパーを保持するトイレットペーパーホルダー固定部と、壁面取り付け部とからなり壁面取り付け部及び固定部にはビス穴又は溝を少なくとも２つ備え該取り付け部と該固定部とは角度を間欠的に屈曲できることが容易な間欠蝶番で連結するよう構成してなるペーパーホルダーの取り付け具。
【考案の詳細な説明】
【技術分野】
【０００１】  本考案はトイレット用ペーパーホルダーの取り付け具に関するものである。
【背景技術】
【０００２】  従来からトイレット用ペーパーホルダーの取り付け具としては図４で示されるように、ロール状のトイレットペーパーを取り付けるためのホルダーとしての保持棒１６と固定部１７とをトイレ室内の壁面に取り付け保持棒１６をロール状のトイレットペーパーの芯に通し、保持棒１６の両端を一対の固定部１７に形成された取り付け穴１８に嵌合されてロールペーパーを保持している。１９は壁面に取り付けるためのビス穴である。
（登録実用新案第３０１９２６５号公報）
このトイレットペーパーホルダーをベースに多くのデザイン変更や改善・改良が加えられている。【０００３】  特に、身体の不自由な方や老人、子供などの手がとどき難い人たちのためにトイレ室内の壁面に取り付けるペーパーホルダーの固定部を支点としてペーパーのホルダー部が移動するように構成されたものも特開２０００−２６２４３２号公報で公知となっている。【０００４】  以下、図３により従来のトイレット用ペーパーホルダーの取り付け具について説明する。
図３はロール状のトイレットペーパーホルダー１１にアーム１２と当り１３、支点１４そしてロールキャッチ１５からなっており、支点１４は蝶番式に加工されトイレットペーパーホルダー１１が水平に自由に動くようになっておりロールキャッチ１５はトイレットペーパーホルダー１１の移動を当り１３でストップさせるようにしている。
したがって、ロールキャッチ１５でトイレットペーパーホルダー１１が確実に固定されてないとトイレットペーパーホルダー１１がフリー移動するので身体が不自由な方や老人、子供の使用が容易でなく、逆に使い難いものとなっている。
【先行技術文献】
【特許文献】
【０００５】
【特許文献１】登録実用新案第３０１９２６５号公報（第２頁、図１）
【特許文献２】特開２０００−２６２４３２号公報（第２頁、図１、図２）
【考案の概要】
【考案が解決しようとする課題】
【０００６】本考案は、従来のトイレットペーパーホルダーの移動を改善するもので図３のトイレット用ペーパーホルダー１１が水平にフリー移動するため結果的にはアーム１２での移動を当り１３で止めトイレットペーパーを使用することになる。
したがって使用する人は、図３と同様に固定して使用する位置は１ヶ所となり人によっては手が届き難く不便である。また、固定できなかったときはアーム１２がフリーとなりペーパーに届かなかったり、きれいに切れ目からペーパーが切り取れないことが多々生じている。
【課題を解決するための手段】
【０００７】  考案は、トイレットペーパーを保持するトイレットペーパーホルダー固定部１と、壁面取り付け部２からなり壁面取り付け部２及び固定部１にはビス溝３を少なくとも２つ備え、該取り付け部（２）と該固定部１とは角度を間欠的に屈曲できることが容易な間欠蝶番４で連結するよう構成してなるペーパーホルダーの取り付け具である。
【考案の効果】
【０００８】  本考案は、トイレットペーパーをホルダーに固定する部分が壁面取り付け部に間欠的に屈折する蝶番で連結しているため蝶番が１８０度の位置から１３５度に、又９０度さらに４５度に、そしてその反対面にも屈曲させることができるので使い方によっては３６０度まで曲げ移動できる。又、屈折角度は蝶番の選定で容易となるため、フリーとならずトイレットペーパーを使用する人が用便後、容易に身体の前に引き寄せ固定しペーパーを容易に用いることができる。また、用便前に使用者の前にペーパーホルダーを移動させて固定し用便後に使用することもでき、身体の不自由な方や老人、子供など他の人の手助けを求めていた人が自分で容易にペーパーをとることができる効果がある。
【図面の簡単な説明】
【０００９】
【図１】は本考案の一実施例のトイレットペーパーホルダーの取り付け具の斜視図である。
【図２】は本考案の取り付け具の取り付け使用例の斜視図である。
【図３】は従来のトイレットペーパーホルダーの斜視図である。
【図４】は従来のトイレットペーパーホルダーの一実施例を示す分解斜視図である。
【考案を実施するための形態】
【００１０】  以下、図１、図２に基づいて本考案の実施形態について説明する。
【００１１】  図１に示すように本実施形態のロールペーパーホルダー取り付け具はロールペーパーホルダー固定部１と壁面取り付け部２とからなり壁面取り付け部２及び固定部１にはビス溝３又は穴を備え、該取り付け部２と該固定部１とは角度を間欠的に屈折できることが容易な屈曲蝶番４で連結するよう構成している。
【００１２】  ロールペーパーホルダー固定部２と壁面取り付け部１とを連結する蝶番４を屈折蝶番としているが、力の加わり方でホルダー固定部が移動することがあるため、さらに強固に固定する具を備えることもできる。
【実施例】
【００１３】  図２は図１ロールペーパーホルダーの取り付け具の使用例で壁面に壁面取り付け部２のビス溝３にビスを通し固定する。またロールペーパーホルダー固定部１には、図３、図４あるいは一般に用いられている様々なデザイン、構造のものが提案され使用されているものを使用者の好みで取り付けている。【００１４】したがって、特に身体の不自由な方、老人、子供などはトイレ内で正面にペーパーホルダー５を取り付けている場合には遠くて手が届かない、また左右のいずれかの壁に取り付けられている場合は手の向きによってロールペーパーが破けたり、取りづらいので本考案の実施例のようにペーパーホルダー５が身体の正面または左右のいずれかに取り付けられていてもペーパーを手の届く範囲に近づけペーパーを取り易くすることで破れることなく利用することができる。又ロールペーパーホルダー固定部２と壁面取り付け部１とか゛一般に市販されている屈曲蝶番４で連結しているため移動させやすく、固定しやすいという利点を兼ね備えている。【００１５】  なお、実施例ではトイレットロールペーパーで説明したが、これに限らずキッチンペーパーの取り付け具としても応用できる。【００１６】  以上のように本考案のロールペーパーホルダーの取り付け具は、様々のデザイン、構造のロールペーパーホルダー５を極めて簡単に、かつ容易に取り付けることができると共にロールペーパーの繰り出し時の使用勝手を図るものである。
【産業上の利用可能性】
【００１７】  本考案のロールペーパーホルダー取り付け具は、一般住宅や公共施設などのトイレット、キッチンに広く利用可能なものである。
【符号の説明】
【００１８】１  ロールペーパーホルダー固定部
２  壁面取り付け部
３  ビス溝
４  屈折蝶番
５  ロールペーパーホルダー
【図１】
0003183050.tif 000003
【図２】
0003183050.tif 000004
【図３】
0003183050.tif 000005
【図４】
0003183050.tif 000006